(57)【要約】      （修正有）【課題】御神木などを本体部とし、釣行の安全第一を象徴する存在であるため、容易なことで破損しないよう本体部の強度を高め、さらに落下した状況でも最小限の破損で留められるよう強度を高めたルアー型の縁起用飾り物を提供する。【解決手段】本体部１は、横長の一枚の木材であり、厚さを略２０ｍｍ以上５０ｍｍ以内とし、屋久杉等の御神木や桧などの国内外の銘木木材からなり、本体部前方左右側面に眼球部を有し、眼球部にはモース硬度略７以上でへき開性のない略球体状の眼球とみなす鉱石２を本体部から突出するように固着し、本体部の重心を前方に位置させたことを特徴とする。【選択図】図３
0003225899.tif 000002
【実用新案登録請求の範囲】
【請求項１】
本体部は、横長の一枚の木材であり、その厚さを略２０ｍｍ以上５０ｍｍ以内とし、屋久杉等の御神木や桧などの国内外の銘木木材からなり、前記本体部前方左右側面に眼球部を有し、前記眼球部にはモース硬度略７以上でへき開性のない略球体状の眼球鉱石を前記本体部から突出するように固着して、前記本体部の重心を前方に位置させたことを特徴とするルアー型の縁起用飾り物。
【請求項２】
モース硬度略５以上でへき開性のない複数の略球体状の装飾鉱石を、前記本体部左右側面に前記本体部から突出するように固着したことを特徴とする請求項１に記載のルアー型の縁起用飾り物。
【請求項３】
前記本体部にはモース硬度が略６でへき開性のないルアー用のヒートンとショア硬度が略１５でへき開性のないルアー用のリップを有し、前記本体部に固着する前記眼球鉱石と全ての前記装飾鉱石の中心点は、前記本体部の縦方向の中心を通る水平仮想線より下に配置したことを特徴とする請求項２に記載のルアー型の縁起用飾り物。
【考案の詳細な説明】
【技術分野】
【０００１】
本考案はルアー型の縁起用飾り物に関するものである。
【背景技術】
【０００２】
屋久杉等のいわゆる御神木や国内外の銘木は、技術的工芸品や民芸品まで多岐に及び親しまれてきたが、その一方で技巧的工芸品である魚の彫刻物はあるものの、略球体状の鉱石やルアー用パーツを配置した縁起用飾り物は見当たらず、釣行の安全を目的とした縁起用飾り物は、市場で流通していない。
【０００３】
釣行の安全祈願についても釣行にまつわる寺社仏閣に出向いて安全祈願を行っている現状が少なくない。従って、この種の縁起用飾り物や木製の置物、木製彫刻については、本出願の提案に係るルアー型の縁起用飾り物が初めてである。
【先行技術文献】
【特許文献】
【０００４】
【特許文献１】特開２００４−２２２６３０号公報
【考案の概要】
【考案が解決しようとする課題】
【０００５】
御神木や銘木の一枚板の強度を高めるために、略球体状の鉱石やルアー用パーツを配置した縁起用飾り物自体が初めての試みになるため、縁起用飾り物や木製の置物、木製彫刻に関する先行技術文献には、略球体状の鉱石やルアー用パーツを用いた文献を調査しても見当たらなかった。また、略球体状以外の形状をした鉱石を配置している縁起用飾り物や木製の置物、木製彫刻に関する先行技術文献についても調査したが見当たらなかった。その一方で、前述した特許文献１は木製ルアーに関するものであるが、木製ルアーを安定して沈下させるためには、本体底部にウエイトをバランスよく適正配置することが重要であるとの知見が図１，図２により明瞭に得られた。しかし、本考案は、御神木などを本体部とするため、本分野における新たな部材の効果的な活用を図りながらその強度を高めることを課題の一つとしている。
【０００６】
警察庁が公表した「平成３０年における水難の概況」によると、魚とり，釣りによる死者，行方不明者の行為別数は平成２７年から死者，行方不明者２００人を超え続け、平成３０年から過去５年間の死者，行方不明者の累計が１０８５人になっており、釣りにまつわる水難事故の未然防止に向けた具体的な取り組みが国の課題となっている。従って、今まで公然と知られていない本考案の存在を知ることにより、一人でも多くの人が釣行に際し、安全第一を肝に銘じることで人命を救う一助になることに資する。
【０００７】
先述した釣行における安全祈願は一般的な釣行者の場合、実施するとしても専ら釣行にまつわる寺社仏閣の場所への移動が時間的、労働的負担となっている。このような現状を踏まえ、御神木や銘木を本体部とするルアー型の縁起用飾り物が釣行者にとって単なるお守りとしての価値だけでなく、釣行の際、人命に係わる安全第一の意識を再認識するための象徴的な存在でなければならない。従って、完成品のルアー型の縁起用飾り物が容易なことで破損することがあってはならず、本体部の強度を高めることは勿論のこと、飾っていた場所から落下した状況までを想定し、最小限の破損で留めることができるよう、更に強度を高めたルアー型の縁起用飾り物を提供することにある。
【課題を解決するための手段】
【０００８】
請求項１に係る考案は、本体部は、横長の一枚の木材であり、その厚さを略２０ｍｍ以上５０ｍｍ以内とし、屋久杉等の御神木や桧などの国内外の銘木木材からなり、前記本体部前方左右側面に眼球部を有し、前記眼球部にはモース硬度略７以上でへき開性のない略球体状の眼球鉱石を前記本体部から突出するように固着して、前記本体部の重心を前方に位置させたことを特徴とする。
【０００９】
請求項２に係る考案は、モース硬度略５以上でへき開性のない複数の略球体状の装飾鉱石を、前記本体部左右側面に前記本体部から突出するように固着したことを特徴とする。
【００１０】
請求項３に係る考案は、前記本体部にはモース硬度が略６でへき開性のないルアー用のヒートンとショア硬度が略１５でへき開性のないルアー用のリップを有し、前記本体部に固着する前記眼球鉱石と全ての前記装飾鉱石の中心点は、前記本体部の縦方向の中心を通る水平仮想線より下に配置したことを特徴とする。
【００１１】
ルアー型の縁起用飾り物は、解決しようとする課題で述べたように、容易なことで破損してはならないことは勿論のこと、飾った場所から落下した状況までを設計の段階から想定しておき、落下の損傷を最小限に留めるために、前項で述べたように本体部に固着する眼球鉱石と全ての装飾鉱石の中心点は、本体部の縦方向の中心を通る水平仮想線より下に平行かつ左右横方向に伸ばした想線に配置することで、本体部の重心を下げ、眼球鉱石を有する最も重い本体前方から落下する確率を高める。
【００１２】
本体部前方付近から落下した際に、直接衝撃を受ける確率が高い箇所は、本体部前方左右側面の眼球鉱石と、モース硬度略６でへき開性のないルアー用のヒートンと、本体部底面のショア硬度略１５でへき開性のないルアー用のリップである。しかし、意図的、計画的に高硬度の鉱石やルアー用パーツを配置することで、これらの部材が一旦衝撃を受け止め、その後、木材の特性である軟質性の機能によってその衝撃を吸収する。
【００１３】
落下した直後の衝撃でルアー型の縁起用飾り物は、リバウンドし、二度目の衝撃を受けることが予想される。その場合も、ルアー用のヒートンやリップ、本体部前方左右側面の眼球鉱石でその衝撃を受け止め吸収することができる。加えて、本体部左右側面に配置した複数の装飾鉱石が衝撃を受け止め吸収する役割を果たすため、本体部中央付近と後方付近の破損を最小限に留める。なお、本体部前方左右側面の眼球鉱石と本体部左右側面の複数の装飾鉱石の各中心点は、本体部の縦方向の中心を通る水平仮想線より下に平行かつ左右横方向に伸ばした仮想線上に配置し固着するが、右側面の場合では、眼球鉱石の中心点から末尾の点を結んだ仮想直線の距離の略等間隔になる位置に眼球鉱石と装飾鉱石を固着することで強度が偏らないようにする。併せて、左側面の場合でも同様に、眼球鉱石の中心点と末尾の点を結んだ仮想直線の距離の略等間隔になる位置に眼球鉱石と装飾鉱石を固着することで強度が偏らないようにする。
【００１４】
主に「課題を解決するための手段」の各項目で述べたように、本考案の本体部は、横長の一枚の木材であり、御神木などを活用するため、本分野における新たな部材の効果的な活用を図りながらその強度を高めることが重要である。従って、全ての鉱石に高硬度の鉱石や高硬度のルアー用パーツを活用して本体部そのものの強度を高め、併せて、落下した状況まで想定し、最小限の破損で留めるために、鉱石の位置を本体部の縦方向の中心を通る水平仮想線より下にある平行かつ左右横方向に伸ばした仮想線に配置することで重心の位置に下げたり、最も重い眼球鉱石を有する本体部前方から落下する確率を高めたり、全ての鉱石の適正配置に努めたりして、本体部の強度をさらに高める。
【考案の効果】
【００１５】
本考案によって、屋久杉などの御神木や国内外の銘木の一枚板に略球体状の複数の鉱石やルアー用パーツを適正配置することによって、本分野における新たな部材の効果的な活用を図りながら一枚板の強度を高めることができることにより、今後、縁起用飾り物や木製の置物、木製彫刻の強度向上に鉱石を活用する可能性を示唆することができる。
【００１６】
本考案によって、釣行の際の安全第一を再認識するための象徴的な存在となるルアー型の縁起用飾り物が初めて社会に現れることになる。しかも、使用されている本体部の木材が御神木や銘木であり、縁起性のある複数の鉱石を配置するため縁起性がさらに高まるとともに、強度のある鉱石を適正配置し，本体部より突出するように固着するため、本体部そのものの強度を高めることができる。
【００１７】
ルアー型の縁起用飾り物が飾っていた所から落下した場合でも、本体部の重心は下げられており、さらに鉱石の中で最もサイズが大きく重い眼球鉱石を本体部左右前方寄りに固着することで、本体部前方から落下する確率を意図的に高め、そのような事態が起きても高硬度の眼球鉱石やルアー用パーツであるヒートンやリップが落下の衝撃を受け止め吸収することができる。加えて、落下した後のリバウンドで本体部左右側面に固着している複数の装飾鉱石を含め、全ての部材で破損を最小限に留めることができる。
【００１８】
魚とり，釣りによる死者，行方不明者の行為別数が平成30年から過去５年間で1000人を大きく超え、水難事故の未然防止に向けた具体的な取り組みが国の課題となっている。従って、本考案のルアー型の縁起用飾り物が社会に知られるようになることで、釣行に係る安全第一の意義や重要性が少しずつ社会に理解されるようになり、一人でも多くの尊い人命を救う一助になることが期待できる。
【図面の簡単な説明】
【００１９】
【図１】本考案の本体部１の右側面図
【図２】図１の破線１ａ−１ｆの断面図
【図３】本考案のルアー型の縁起用飾り物Ｗの斜視図
【考案を実施するための形態】
【００２０】
構造力学では物体の強さのことを専門用語で、変形のしにくさである「弾性率」、損傷のしにくさである「耐力」、破損のしにくさである「引張強度」、傷付きにくさである「硬度」として表すが、これらの用語の概念の上位概念は「強度」である。木造建築物を例に「強度」を簡潔に説明すれば、梁にＨ形鋼を用いることや、筋交いを用いた耐力壁や、構造用合板を用いた面材耐力壁などを用いることを意味する。従って、建築物を柱だけで構成するのではなく、柱以外の部材を効果的に用いて、建築物そのものの損傷のしにくさを表すものが「強度」である。本考案の本体部１は、横長の略楕円状の一枚の木材であり、木材以外の部材を効果的に活用するため一貫して「強度」を用いる。
【００２１】
前述したように、木造建築物が様々な部材を用いて強度を高めているように、本体部１も複数の鉱石やルアー用パーツを用いて強度を高めることから、本物品を単なる縁起用飾り物として捉えるのではなく、「小さな構造体」として捉え、これらの部材の効果的な活用や適正配置に努め、強度を高める。例えば、使用する一枚板の木材が屋久杉などの御神木であっても、桧などの国内外の銘木であっても、厚さが略２０ｍｍと薄く、板の縦や横のサイズが長くなれば、必然的に相応の強度が求められるため、使用する鉱石の大きさも重さも個数も増え、強度が偏らないようにするなどの適正配置が必要となる。従って、本体部１の一枚板の性質や状態などを適切に把握するとともに、部材の効果的な活用を検討し、木材の実態に応じて臨機応変に対応しながら強度を高める。
【００２２】
図１で示すように、本考案の本体部１は、横長の略楕円状の一枚の木材であり、その厚さを略２０ｍｍ以上５０ｍｍ以内として規定している。従って、縦と横の長さについても規定しなければならない。縁起用飾り物だから大きければ大きいほど良いというわけではなく、使用する鉱石のサイズや重さ、ヒートン８やリップ９のサイズや重さ、材質などについても、その効果を検討する必要があり、加えて、屋久杉の伐採は法律で禁じられ、土埋木の流通が主流になりつつあるため、縦の長さについては、入手可能な板の厚さが略２０ｍｍ以上略３０ｍｍ以下のサイズが多いことから、縦の長さは略７０ｍｍ以上略１４０ｍｍ以内とし、横の長さについては、略１４０ｍｍ以上略２８０ｍｍ以内とすることが望ましい。併せて、ルアー型の縁起用飾り物Ｗのサイズが大きくなるほど、必然的にその大きさに相関して、本体部１前方左右側面の眼球鉱石と本体部１左右側面の装飾鉱石のサイズは大きくなり、眼球鉱石と装飾鉱石の価格は高くなる。従って、入手した屋久杉や銘木のサイズを適切なサイズに加工し，ユーザーが違和感を抱かないよう配慮し、製作にかかった費用に応じた適正な価格で提供する必要がある。
【００２３】
本考案は、ルアー型の縁起用飾り物Ｗが、飾った場所から落下した場合でも、容易に破損しないよう最小限の破損で留めるために、本体部１に用いる木材のヤング係数は、Ｅ＝略350ｋＮ／ｃｍ２以上とする。この下限値については、バルサを参考にし、軽くて柔らかい材質でも本体部１の厚さを略40ｍｍ以上に保持し、活用する部材については、本体部１の一枚板の特性を適切に把握しながら鉱石の数を増やし、強度が偏らないよう適正配置に努めることで本体部１の強度を保持する。
【００２４】
本体部１の強度を高めるためには、鉱石の硬度が重要である。そこで、図２と図３で示すように、本体部１前方左右側面から突出し、最も高い位置にある眼球鉱石２，３が衝撃を受けやすい。従って、左右眼球鉱石２，３には、ゴルフクラブのフェイスに用いられているチタンのモース硬度略６よりも硬いモース硬度略７以上の鉱石を用いることで本体部１前方左右側面の強度を高め、併せて、ルアー型の縁起用飾り物Ｗが落下した際のリバウンドで衝撃を受けやすい本体部１左右側面に用いる複数の装飾鉱石４，５，６，７には、１０円硬貨の主成分である青銅のモース硬度略４よりも硬いモース硬度略５以上の鉱石を用いることで本体部１中央付近と本体部１後方付近の強度を高める。加えて、本考案で用いる全ての鉱石は、穴の空いていない略球体状の鉱石を部材として活用することを念頭に据えているが、これらの鉱石が入手できない場合、例えば、略球体状の鉱石の中心を貫く略0.8ｍｍ以上２ｍｍ以下の円柱状の穴が空いている鉱石を部材として活用する。そのような鉱石については、本体部１に固着する前に、前後の穴からゼリー状の接着剤を注入し硬化させておくことで、衝撃荷重にたいする伝播のしやすさを確保するとともに鉱石の強度を保持することが望ましい。さらに、このような鉱石を本体部１に固着する場合は、前述した円柱状の穴の直径を考慮し、その穴が本体部１よりも露出しないように、その鉱石の半径よりも深めに固着することで本体部１の強度を保持することが望ましい。
【００２５】
図２で示すように全ての鉱石は、本体部１の強度を高めるために、略球体状の略半球状の深さまで円柱状に掘削した穴に固着され、固着されない部分が本体部１から突出することになる。この鉱石の硬さには重要な意味があり、外的な衝撃による強さを数値化した「靭性」もあるが、明瞭に鉱石の硬さを確かめるには、「モース硬度」と「へき開性」の二つを見定めることが重要である。モース硬度の場合、数値が高くなるにつれて硬くなることを意味し、その一方で、へき開性はモース硬度が高くても、ある方向から衝撃を加えると割れやすい特性があることを意味する。なお、へき開性は、一般的に「完全」，「明瞭」，「不明瞭」，「なし」に分類されており、へき開性が「完全」に近いほど、その鉱物は簡単に割れることを意味する。部材として活用する鉱石については、硬度が高く、へき開性がない鉱石を、強度があり丈夫な鉱石と判断する。例えば、へき開性のない鉱石で、モース硬度が略５以上の鉱石の一部を列挙すると、モース硬度略５では、カッターナイフの刃を使ってやっと傷をつけることができる硬さとなり、オパール，モルダバイトなどがある。また、モース硬度略６では、カッターナイフの入らない硬さとなり、パイライト、ガーネット，カルセドニーなどがある。さらに、モース硬度略７では、水晶でこすると傷が付くといわれており、アベンチュリン，オニキス，サードオニキス，水晶，黒水晶，紫水晶，スモーキークォーツ，ローズクォーツ，ミルキークォーツ，ルチルクォーツ，天眼石，ジェムシリカ，ジャスパー，タイガーアイ，ブルーカルセドニー，ブラッドストーン，などがある。加えて、モース硬度略８で有名な鉱石がエメラルドで、モース硬度略９で有名な鉱石がルビー，サファイアとなる。因みに、最も硬いモース硬度略１０がダイヤモンドであるが、へき開性があるため、強度を保持するための活用には不向きである。これらの鉱石以外にも各モース硬度に該当するへき開性のない鉱石はあるが、前述したようにへき開性の有無など鉱石の特性を十分に精査して選定する。
【００２６】
図１と図３で示すように、本体部１前方左右眼球鉱石２，３は、鉱石の中で最も大きく重いため、本体部１の前方から落下させる確率を上げるための重心位置の役割を果たす。眼球鉱石２，３は、本体部１左右側面から最も突出しており、衝撃を受けやすい場所でもあることから、モース硬度７以上でへき開性のない鉱石を固着することで本体部１前方の強度を高める。モース硬度が略７以上ともなれば、鉱石の価格が高くなる傾向にあるが、落下した状況での御神木や銘木の損傷を最低限に留めることを考慮すれば、眼球部には７以上のモース硬度が必要である。
【００２７】
図２と図３で示すように、落下した直後の衝撃でルアー型の縁起用飾り物Ｗは、リバウンドし、二度目の衝撃を受けることが予想される。その際に、本体部１左右側面に配置した複数の装飾鉱石４，５，６，７が衝撃を受け止め吸収する重要な役割を果たすため、モース硬度を１０円玉の主成分が青銅でモース硬度が略４よりも数値が高いモース硬度略５以上でへき開性のない装飾鉱石を固着することで、本体部１中央付近や本体部１後方付近の破損を最小限に留める重要な役割を果たす。
【００２８】
ルアー型の縁起用飾り物Ｗは、解決しようとする課題で述べたように、容易なことで破損してはならないことは勿論のこと、飾った場所から落下した状況までを設計の段階から想定しておくことが重要である。従って、図１と図２で示すように、落下の損傷を最小限に留めるためには、先述したように本体部１に固着する全ての鉱石の中心点は、本体部１の縦方向の中心を通る水平仮想線１ｃ−１ｄより下にある平行かつ左右に伸ばした本体部の仮想線１ｅ−１ｆに配置し、最も重い眼球鉱石２，３を有する本体部１前方から落下する確率を高めることにある。従って、ここで特に重要なことは、本体部１前方左右側面の眼球鉱石２，３と本体部１に固着する装飾鉱石４，５，６，７の重さのバランスである。例えば、本体部１右側面の中心から右寄りに多数の装飾鉱石を配置すれば、重心が右側に偏ってしまい、本体部１が落下してしまった場合、本体部１は右後方から落下することになり最小限の損傷で済まない事態となる。従って、本体部１の前方部から先に落ちるためには、複数の装飾鉱石の重さを考慮しながら、最もサイズが大きく、重く、強度のある眼球鉱石を有する前方部に重心位置があるようにしなければならない。従って、装飾鉱石４と装飾鉱石５を本体部１の前方寄りに配置するとともに、電子秤を用いて，予め本体部１のみならず全ての鉱石やヒートン８やリップ９の重さを計り，眼球鉱石を有する前方部から落下するよう設計する。
【００２９】
図１と図３で示すように、本体部１前方付近から落下した際に、直接衝撃を受ける確率が高い箇所は、本体部１から突出している本体部１前方左右側面の眼球鉱石２，３と本体部１の正面の最も前にねじ込まれているモース硬度が略６で金属製の、例えばステンレス製のヒートン８と本体部１の底面の前方寄りに取り付けられているショア硬度が略１５ある合成樹脂製の、例えばポリカーボネート製のリップ９である。なお、ヒートン８とは、一般的にねじの頭へ輪のように丸められた金属棒が付いた形状をしており、ねじ側を壁や天井に固定し、輪の方へ紐を通すなどして物を吊り下げることに使われるものである。また、額縁などにねじ込んで吊紐を通すにことにも使われるが，ルアーにおいても，魚の形状をしたルアーの先端にヒートン８をねじ込み、その輪の中へ釣り糸（リーダー）を通してルアーと結び付ける役割を果たすものである。ヒートン８のサイズも形状も多種多様であるが、本体部１に用いるヒートン８は、輪の外径が略９ｍｍあり、太さが略２ｍｍ、本体部１へねじ込む長さが12ｍｍある。また、ルアー用のリップ９とは、ルアーの口元に付いたプラスチックなどでできた潜行板のことである。ルアーをリールで巻き取る速さが早いほど、このリップ９が水圧を受け、その抵抗により潜水する役目を果たす。また、このリップ９の大きさや形状（板状，台形状，舌状など）によりルアーが潜る深度などが変わるといわれている。本体部１に固着するリップ９は、プラスチックよりも強度のあるポリカーボネート製で、舌状の形状をしており、厚さは略３ｍｍで横の長さが略29ｍｍ、縦の長さが略35ｍｍである。このように高硬度の鉱石やルアー用パーツを意図的，計画的に配置することで、これらの部材が一旦衝撃を受け止め、その後、木材の特性である軟質性の機能によって衝撃を吸収することになる。加えて、ヒートン８とリップ９は、本体部１のサイズに相関してこれらのサイズも大きくする必要がある。
【００３０】
図２と図３で示すように、落下した直後の衝撃でルアー型の縁起用飾り物Ｗは、リバウンドし、二度目の衝撃を受ける。その場合も、ルアー用のヒートン８やリップ９、本体部前方左右側面の眼球鉱石２，３で衝撃を受け止め吸収することができる。また、本体部１左右側面に配置した複数の装飾鉱石４，５，６，７が衝撃を受け止め吸収するため、本体部１中央付近や後方付近の破損を最小限に留める重要な役割を果たす。
【００３１】
本体部１前方左右側面の眼球鉱石２，３の各中心点２ａ，３ａと本体部１左右側面の装飾鉱石４，５，６，７の各中心点４ａ，５ａ，６ａ，７ａは、本体部の縦方向の中心を通る水平仮想線１ｃ−１ｄより下にある平行かつ左右に伸ばした仮想線１ｅ−１ｆに配置する。具体的には、図１で示すように、本体部１右側面の場合、眼球鉱石２の中心点２ａ、装飾鉱石４の中心点４ａ、装飾鉱石６の中心点６ａをその仮想線上の２ａ−１ｆの長さの略等間隔になるように配置し、固着する。併せて、図２で示すように、左側面も同様に、仮想線３ａ−１ｆの長さの略等間隔になるように眼球鉱石３の中心点３ａ、装飾鉱石５の中心点５ａ、装飾鉱石７の中心点７ａを配置し固着する。この配置の工夫によって、本体部１右側面の場合、本体部１の中心から前方寄りに眼球鉱石２と装飾鉱石４が配置され固着される。また、本体部１左側面の場合も同様に、本体部１の中心から前方寄りに眼球鉱石３と装飾鉱石５が配置され固着される。この配置の工夫により、本体部１の強度を安定させるだけでなく、装飾鉱石４，５が本体部１前方寄りに配置されることによって、本体部１の重心位置は、眼球鉱石を有する本体部１の前方にくるよう確定する。
【００３２】
本考案で用いる鉱石は、先述したように強度が高く丈夫でなければならない。しかし、モース硬度が本考案の基準値を満たしているという根拠で安易に配置してはならない。例えば、モース硬度が略５である黒曜石を、本体部１左右側面の装飾鉱石として配置し固着すると、落下などで破損したときに鋭利な破片が飛散する危険性がある。従って，鉱石を見定める際は、鉱石の特性を十分に精査し、安全性の高い鉱石を選定する。
【００３３】
本考案の本質に係る提要の第１ポイントは、本体部１に用いる全ての鉱石が高硬度で本体部の強度を高めていることは勿論のこと、先述したように本体部１の重心を下げ、鉱石の中で最も高硬度でサイズが大きく重い眼球鉱石２，３を本体部１左右側面前方寄りに固着するだけでなく、装飾鉱石４，５も本体部１の中心から前方寄りに配置し固着することで、本体部１の前方に重心位置がくることにより、本体部１前方から落下する確率を意図的に高めるよう「一連の流れ」を想定しているところにある。つまり、落下する事態が起きても、高硬度の全ての鉱石だけでなく、モース硬度略６でへき開性のないルアー用のステンレス製ヒートン８が衝撃を受け吸収し、また本体部１底面が衝撃を受けた場合でも、樹脂、プラスチック素材の強度を表すショア硬度が略１５で、ガラスの略２００倍、アクリルの略３０倍の衝撃強度があり、へき開性のないルアー用のポリカーボネート製であるリップ９が衝撃を受け吸収することになるため、本体部で用いられているヒートンやリップは、ルアーを象徴する部材としてだけでなく、本体部の強度向上の役割を果たすとともに最小限の損傷で留める効果的な役割を果たす。
【００３４】
本考案の本質に係る提要の第２点ポイントは、本分野における新たな部材の特性を考慮して効果的に活かしているところである。その最も優れた効果は、本体部１の落下まで想定した部材の適正配置のみならず、力学において物体の２点間に触れるところで発生する力である外的な衝撃荷重に対して、伝搬体である高硬度の鉱石やルアー用パーツを介することで、本体部１の木材の軟質機能によるエネルギー吸収性を発揮することができ、新たな部材である高硬度の鉱石やルアー用パーツと本体部の木材それぞれの部材がきちんと元の形に戻るという動作を実現するという弾性域内での動作を実現する機能を有するところにある。
【００３５】
図１と図２で示すように、本考案の本質に係る提要の第３点ポイントは、鉱石の適正配置にある。先述したように、本体部１の縦方向の中心を通る水平仮想線１ｃ−１ｄより下にある平行かつ左右に伸ばした本体部１の仮想線１ｅ−１ｆに配置し、仮想線の距離の略等間隔になる位置に全ての鉱石を配置することで、本体部１の重心を下げている。また、本体部１左右側面の各鉱石が本体部１の正面、つまり、ヒートン８の方から見たときに，左右対称に配置されることにより本体部１の左右側面の重心バランスの安定性を保持している。このことにより、本体部１を正面から見たときの本体部１の重心の左右バランスを保持するだけでなく、本体部１の左右側面の中心から前方寄りに装飾鉱石４と装飾鉱石５を配置し、固着することで、本体部１の重心位置が眼球鉱石２，３を有する本体部１の前方に確定することになり、そのことが落下したときの考案を確定し易くする。
【００３６】
本考案の本質に係る提要の第４点ポイントは、日常生活における身近な物を例にして説明すると、建材や家具、木製の飾り物、木製の置物、木製彫刻など、私たちが日常使用する木材は、製品となる過程で、立木の状態のままではなく、例外なく一定以上の乾燥工程を受けている。また、木材は気温や湿度の変化に伴い、含水率という木材内部の水分比率が変化するが、一定以上に乾燥された木材は、含水率の変化に応じて例外なく形状が変形する特性を持つ。これに対し、鉱石は木材とは異なり、上記要素では形状の変化はなく、加えて木材と比較して非常に硬い。従って、本考案は、横長の一枚の木材であり、その厚さを略２０ｍｍ以上５０ｍｍ以内とし、屋久杉等の御神木や桧などの国内外の銘木木材を本体部１として用いるが、仮に、高硬度の鉱石で、木材の表面積のほとんどを覆ってしまうと、木材は自由な変形ができなくなり、比較的変形量の小さい本物品であっても、変形しようとする木材内部の組織が動くための逃げ幅を奪われてしまい、内部で木材が変形しようとすることを阻害されるため、木材が外部から圧力を受け続けている状態となり、木材の内部に発生する力である内部応力が過多となり、内部、表層部ともに割れが発生しやすい状態を招いてしまう可能性がある。つまり、先述したように木材にとって外的な衝撃荷重に対しては高硬度の鉱石やルアー用パーツを介することで、破損を防ぐための盾となる役割を果たし得るが、過度に鉱石を配置すれば、強度は低下し、内部、表層部ともに割れが発生し易くなる。加えて、本体部１として用いる木材の特性や状態を適切に把握せず、例え木材の表面積の略２割程度の鉱石を配置したとしても、杢目が不規則な模様になっており非常に反りやすい箇所や節の割合が高い箇所等に配置すれば、上述の理由で強度は低下し、割れが発生し易くなることに留意しておかなければならない。従って、鉱石は木材を過度に拘束せず、あくまでも本体部１の部材の効果的な活用を図りながら強度を高めることを目的とした適正配置をすることが肝要である。
【００３７】
本考案によって、屋久杉などの御神木や国内外の銘木の一枚板に略球体状の複数の鉱石やルアー用パーツを適正配置することによって、一枚板の強度を高めることができたことにより、今後、登山用などの縁起用飾り物や動植物などの木製の置物、木製彫刻の強度向上に鉱石を活用する可能性がある。
【００３８】
現代の若者を中心に、杢目の美しさよりも、派手やかさを重んじる傾向があり「スタイリッシュで煌びやかな縁起用飾り物が欲しい。」というユーザ―のニーズが少なくない場合、鉱石を固着するための円柱状の複数の穴やリップ９を固着する切込みができあがっている本体部１を３Ｄプリンターでスキャンし、３Ｄプリンター専用ソフトでデータを読み取とった上で、データの数値を変換し、本体部１を流線形にしたり、着色したりするなどし、様々な素材で本体部１を製作することができるが、本体部１の強度を高めたり、落下した状況での強度を高めたりする必要性があれば、上述した請求項１，請求項２，請求項３に記載の内容を踏まえることで本体部１の強度を高め、落下に際しても最小限の損傷で留めることができる。
【００３９】
警察庁生活安全企画課による「平成３０年における水難の概況」（令和元年６月１３日付）では、魚とり，釣りによる死者，行方不明者の行為別数が平成30年から過去５年間で1085人であり、水難事故の未然防止に向けた具体的な取り組みが国の課題となっている。また、「海上保安統計年報救難統計」では、海釣りに限定して統計をとっており、過去５年間で死者，行方不明者数が486人となっている。警察庁の統計と海上保安庁の統計に差異があるのは、海上保安庁の統計が海上に限定されているのに対して、警察庁の統計は、沼や湖，河川等での死者，行方者数が含まれているため、人数が多くなっている。このような水難事故による死亡事故の実態に対して、本考案による物品の存在を社会の人々に知ってもらい提供することで釣行に関して何よりも大切なものは人命であり、そのために釣行に対する安全第一の重要性を最優先し認識してもらうことで、一人でも多くの尊い命を救う一助になることが期待できる。従って、本考案の釣行にまつわるルアー型の縁起用飾り物Ｗを世に送り出す社会的意義は少なからずあるものと考える。
【実施例】
【００４０】
以下、本考案の一実施形態によるルアー型の縁起用飾り物Ｗについて図面により説明する。なお、添付図面に杢目を描いてしまうと図面に関する線や数字、文字及び引き出し線等が不明瞭になってしまうため省略する。また、図３は、完成品がイメージし易いように本体部１にデザインを追加する。
【００４１】
まず、主に図１を示し、内容によっては図２も示しながら本考案の一実施例を説明する。図１で示すように本体部１は、横長の略楕円状の一枚の木材で、屋久杉等の御神木や桧などの国内外の銘木木材からなり、先述した縦や横や厚さの規定内に準じた図面である。図２で示すように本体部１前方左右側面には眼球鉱石を有し、眼球部にはモース硬度略７以上でへき開性のない略球体状の眼球鉱石２，３を略半球状に固着する。
【００４２】
図２で示すように眼球鉱石以外に、本体部１右側面にはモース硬度略５以上でへき開性のない複数の装飾鉱石４，６を略半球状に固着し、本体部１左側面も同様に、モース硬度略５以上でへき開性のない装飾鉱石５，７を略半球状に固着する。ここで注視したい点は、鉱石の配置である。例えば、図１で示すように、眼球鉱石２と装飾鉱石４は、本体部１の縦方向の中心を通る仮想線１ａ−１ｂより本体部１の左側寄りにある。つまり、本体部１前方寄りに配置し固着しており、このことは、左側面でも同様であり、眼球鉱石３と装飾鉱石５も本体部１前方寄りに配置し、固着する。
【００４３】
図１で示すように，本体部１最前方にモース硬度が略６でへき開性のないルアー用のステンレス製ヒートン８と本体部１底面にショア硬度が略１５でへき開性のないルアー用のポリカーボネート製のリップ９を有する。なお、リップ９の幅の長さは本体部１の厚さと同じであるため、図２では目視できない。
【００４４】
図１で示すように、本体部１は横長の一枚の木材であるが、本体部の縦方向の中心を通る仮想線１ａ−１ｂの中心から垂直に左右横方向に伸ばした線分１ｃ−１ｄが本体部１の高さを二等分する水平仮想線であり、本体部１に固着する眼球鉱石２と装飾鉱石４，６の中心点は、水平仮想線１ｃ−１ｄより下に平行に位置する仮想破線１ｅ−１ｆ上に配置する。また、図２に示すように、左側面の鉱石３，５，７も右側面の配置と同様である。なお、図１で示すように、この仮想線が破線になっているのは、図２で断面図を描く必要性のためである。
【００４５】
図１で示すように、右側面図の鉱石の配置を再度注視すると、平行破線である１ｅ−１ｆ上に、鉱石２の中心点２ａ、鉱石４の中心点４ａ、鉱石６の中心点６ａを配置している。右側面の場合、全ての鉱石の中心点は、鉱石２の中心点２ａから右方向に伸びる仮想線２ａ−１ｆの略等間隔（右側面では、Ｌ１≒Ｌ２≒Ｌ３）になるよう配置し固着する。併せて、図２で示すように、左側面の配置を注視すると、右側面の配置と同様に、Ｌ４≒Ｌ５≒Ｌ６になるよう配置し固着する。
【００４６】
次に、図２で示すように、本図面は図１で示した仮想線１ｅ−１ｆの断面図である。全ての鉱石は円柱状に掘削された底面上の２ｃ，３ｃ，４ｃ，５ｃ，６ｃ，７ｃの位置において、略半球状の状態でエポキシ樹脂を用いて固着する。従って、２ｂ，２ｄ，３ｂ，３ｄ，４ｂ，４ｄ，５ｂ，５ｄ，６ｂ，６ｄ，７ｂ，７ｄは硬化したエポキシ樹脂である。なお、ヒートン８は木材への挿入状態である。加えて、本体部１左右側面の各鉱石は、本体部１の正面から見た場合、略左右対称に固着する。
【００４７】
最後に、図３で示すように本図面は、完成したルアー型の縁起用飾り物Ｗの斜視図である。完成品がイメージし易いようにデザインを加えており、台座を設けている。
【符号の説明】
【００４８】
１  本体部
２  右眼球鉱石
３  左眼球鉱石
４  右側面装飾鉱石
５  左側面装飾鉱石
６  右側面装飾鉱石
７  左側面装飾鉱石
８  ステンレス製ヒートン
９  ポリカーボネート製リップ
１０  台座
【図１】
0003225899.tif 000003
【図２】
0003225899.tif 000004
【図３】
0003225899.tif 000005
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
本体部は、横長の一枚の木材であり、その厚さを略２０ｍｍ以上５０ｍｍ以内とし、屋久杉等の御神木や桧などの国内外の銘木木材からなり、前記本体部前方左右側面に眼球部を有し、前記眼球部にはモース硬度略７以上でへき開性のない略球体状の眼球とみなす鉱石を前記本体部から突出するように固着して、前記本体部の重心を前方に位置させたことを特徴とするルアー型の縁起用飾り物。
【請求項２】
モース硬度略５以上でへき開性のない複数の略球体状の装飾品とみなす鉱石を、前記本体部左右側面に前記本体部から突出するように固着したことを特徴とする請求項1に記載のルアー型の縁起用飾り物。
【請求項３】
前記本体部にはモース硬度が略６でへき開性のないルアー用のヒートンとショア硬度が略１５でへき開性のないルアー用のリップを有し、前記本体部に固着する前記眼球とみなす鉱石と全ての前記装飾品とみなす鉱石の中心点は、前記本体部の縦方向の中心を通る水平仮想線より下に配置したことを特徴とする請求項２に記載のルアー型の縁起用飾り物。
【手続補正２】
【補正対象書類名】明細書
【補正対象項目名】全文
【補正方法】変更
【補正の内容】
【考案の詳細な説明】
【技術分野】
【０００１】
本考案はルアー型の縁起用飾り物に関するものである。
【背景技術】
【０００２】
屋久杉等のいわゆる御神木や国内外の銘木は、技術的工芸品や民芸品まで多岐に及び親しまれてきたが、その一方で技巧的工芸品である魚の彫刻物はあるものの、略球体状の鉱石やルアー用パーツを配置した縁起用飾り物は見当たらず、釣行の安全を目的とした縁起用飾り物は、市場で流通していない。
【０００３】
釣行の安全祈願についても釣行にまつわる寺社仏閣に出向いて安全祈願を行っている現状が少なくない。従って、この種の縁起用飾り物や木製の置物、木製彫刻については、本出願の提案に係るルアー型の縁起用飾り物が初めてである。
【先行技術文献】
【特許文献】
【０００４】
【特許文献１】特開２００４−２２２６３０号公報
【考案の概要】
【考案が解決しようとする課題】
【０００５】
御神木や銘木の一枚板の強度を高めるために、略球体状の鉱石やルアー用パーツを配置した縁起用飾り物自体が初めての試みになるため、縁起用飾り物や木製の置物、木製彫刻に関する先行技術文献には、略球体状の鉱石やルアー用パーツを用いた文献を調査しても見当たらなかった。また、略球体状以外の形状をした鉱石を配置している縁起用飾り物や木製の置物、木製彫刻に関する先行技術文献についても調査したが見当たらなかった。その一方で、前述した特許文献１は木製ルアーに関するものであるが、木製ルアーを安定して沈下させるためには、本体底部にウエイトをバランスよく適正配置することが重要であるとの知見が図１，図２により明瞭に得られた。しかし、本考案は、御神木などを本体部とするため、本分野における新たな部材の効果的な活用を図りながらその強度を高めることを課題の一つとしている。
【０００６】
警察庁が公表した「平成３０年における水難の概況」によると、魚とり，釣りによる死者，行方不明者の行為別数は平成２７年から死者，行方不明者が200人を超え続け、平成３０年から過去５年間の死者，行方不明者の累計が1085人になっており、釣りにまつわる水難事故の未然防止に向けた具体的な取り組みが国の課題となっている。従って、今まで公然と知られていない本考案の存在を知ることにより、一人でも多くの人が釣行に際し、安全第一を肝に銘じることで人命を救う一助になることに資する。
【０００７】
先述した釣行における安全祈願は一般的な釣行者の場合、実施するとしても専ら釣行にまつわる寺社仏閣の場所への移動が時間的、労働的負担となっている。このような現状を踏まえ、御神木や銘木を本体部とするルアー型の縁起用飾り物が釣行者にとって単なるお守りとしての価値だけでなく、釣行の際、人命に係わる安全第一の意識を再認識するための象徴的な存在でなければならない。従って、完成品のルアー型の縁起用飾り物が容易なことで破損することがあってはならず、本体部そのものの強度を高めることは勿論のこと、飾っていた場所から落下した状況までを想定し、最小限の破損で留めることができるよう、更に強度を高めたルアー型の縁起用飾り物を提供することにある。
【課題を解決するための手段】
【０００８】
請求項１に係る考案は、本体部は、横長の一枚の木材であり、その厚さを略２０ｍｍ以上５０ｍｍ以内とし、屋久杉等の御神木や桧などの国内外の銘木木材からなり、前記本体部前方左右側面に眼球部を有し、前記眼球部にはモース硬度略７以上でへき開性のない略球体状の眼球とみなす鉱石を前記本体部から突出するように固着して、前記本体部の重心を前方に位置させたことを特徴とする。
【０００９】
請求項２に係る考案は、モース硬度略５以上でへき開性のない複数の略球体状の装飾品とみなす鉱石を、前記本体部左右側面に前記本体部から突出する
ように固着したことを特徴とする。
【００１０】
請求項３に係る考案は、前記本体部にはモース硬度が略６でへき開性のないルアー用のヒートンとショア硬度が略１５でへき開性のないルアー用のリップを有し、前記本体部に固着する前記眼球とみなす鉱石と全ての前記装飾品とみなす鉱石の中心点は、前記本体部の縦方向の中心を通る水平仮想線より下に配置したことを特徴とする。
【００１１】
ルアー型の縁起用飾り物は、解決しようとする課題で述べたように、容易なことで破損してはならないことは勿論のこと、飾った場所から落下した状況までを設計の段階から想定しておき、落下の損傷を最小限に留めるために、前項で述べたように本体部に固着する眼球とみなす鉱石と全ての装飾品とみなす鉱石の中心点は、本体部の縦方向の中心を通る水平仮想線より下に平行かつ左右横方向に伸ばした仮想線に配置することで、本体部の重心を下げ、眼球とみなす鉱石を有する最も重い本体部前方から落下する確率を高める。
【００１２】
本体部前方付近から落下した際に、直接衝撃を受ける確率が高い箇所は、本体部前方左右側面の眼球とみなす鉱石と、モース硬度略６でへき開性のないルアー用のヒートンと、本体部底面のショア硬度略１５でへき開性のないルアー用のリップである。しかし、意図的、計画的に高硬度の鉱石やルアー用パーツを配置することで、これらの部材が一旦衝撃を受け止め、その後、木材の特性である軟質性の機能によってその衝撃を吸収する。
【００１３】
落下した直後の衝撃でルアー型の縁起用飾り物は、リバウンドし、二度目の衝撃を受けることが予想される。その場合も、ルアー用のヒートンやリップ、本体部前方左右側面の眼球とみなす鉱石でその衝撃を受け止め吸収することができる。加えて、本体部左右側面に配置した複数の装飾品とみなす鉱石が衝撃を受け止め吸収する役割を果たすため、本体部中央付近と後方付近の破損を最小限に留める。なお、本体部前方左右側面の眼球とみなす鉱石と本体部左右側面の複数の装飾品とみなす鉱石の各中心点は、本体部の縦方向の中心を通る水平仮想線より下に平行かつ左右横方向に伸ばした仮想線上に配置し固着するが、右側面の場合では、眼球とみなす鉱石の中心点から末尾の点を結んだ仮想直線の距離の略等間隔になる位置に眼球とみなす鉱石と装飾品とみなす鉱石を固着することで強度が偏らないようにする。併せて、左側面の場合でも同様に、眼球とみなす鉱石の中心点と末尾の点を結んだ仮想直線の距離の略等間隔になる位置に眼球とみなす鉱石と装飾品とみなす鉱石を固着することで強度が偏らないようにする。
【００１４】
主に「課題を解決するための手段」の各項目で述べたように、本考案の本体部は、横長の一枚の木材であり、御神木などを活用するため、本分野における新たな部材の効果的な活用を図りながらその強度を高めることが重要である。従って、全ての鉱石に高硬度の鉱石や高硬度のルアー用パーツを活用して本体部そのものの強度を高め、併せて、落下した状況まで想定し、最小限の破損で留めるために、鉱石の位置を本体部の縦方向の中心を通る水平仮想線より下にある平行かつ左右横方向に伸ばした仮想線に配置することで重心の位置に下げたり、最も重い眼球とみなす鉱石を有する本体部前方から落下する確率を高めたり、全ての鉱石の適正配置に努めたりして、本体部の強度をさらに高める。
【考案の効果】
【００１５】
本考案によって、屋久杉などの御神木や国内外の銘木の一枚板に略球体状の複数の鉱石やルアー用パーツを適正配置することによって、本分野における新たな部材の効果的な活用を図りながら一枚板の強度を高めることができることにより、今後、縁起用飾り物や木製の置物、木製彫刻の強度向上に鉱石を活用する可能性を示唆することができる。
【００１６】
本考案によって、釣行の際の安全第一を再認識するための象徴的な存在となるルアー型の縁起用飾り物が初めて社会に現れることになる。しかも、使用されている本体部の木材が御神木や銘木であり、縁起性のある複数の鉱石を配置するため縁起性がさらに高まるとともに、強度のある鉱石を適正配置し，本体部より突出するように固着するため、本体部そのものの強度を高めることができる。
【００１７】
ルアー型の縁起用飾り物が飾っていた場所から落下した場合でも、本体部の重心は下げられており、さらに鉱石の中で最もサイズが大きく重い眼球とみなす鉱石を本体部左右前方寄りに固着することで、本体部前方から落下する確率を意図的に高め、そのような事態が起きても高硬度の眼球とみなす鉱石やルアー用パーツであるヒートンやリップが落下の衝撃を受け止め吸収することができる。加えて、落下した後のリバウンドで本体部左右側面に固着している複数の装飾品とみなす鉱石を含め、全ての部材で破損を最小限に留めることができる。
【００１８】
魚とり，釣りによる死者，行方不明者の行為別数が平成３０年から過去５年間で1000人を大きく超え、水難事故の未然防止に向けた具体的な取り組みが国の課題となっている。従って、本考案のルアー型の縁起用飾り物が社会に知られるようになることで、釣行に係る安全第一の意義や重要性が少しずつ社会に理解されるようになり、一人でも多くの尊い人命を救う一助になることが期待できる。
【図面の簡単な説明】
【００１９】
【図１】本考案の本体部１の右側面図
【図２】図１の破線１ａ−１ｆの断面図
【図３】本考案のルアー型の縁起用飾り物Ｗの斜視図
【考案を実施するための形態】
【００２０】
構造力学では物体の強さのことを専門用語で、変形のしにくさである「弾性率」、損傷のしにくさである「耐力」、破損のしにくさである「引張強度」、傷付きにくさである「硬度」として表すが、これらの用語の概念の上位概念は「強度」である。木造建築物を例に「強度」を簡潔に説明すれば、梁にＨ形鋼を用いることや、筋交いを用いた耐力壁や、構造用合板を用いた面材耐力壁などを用いることを意味する。従って、建築物を柱だけで構成するのではなく、柱以外の部材を効果的に用いて、建築物そのものの損傷のしにくさを表すものが「強度」である。本考案の本体部１は、横長の略楕円状の一枚の木材であり、木材以外の部材を効果的に活用するため一貫して「強度」を用いる。
【００２１】
前述したように、木造建築物が様々な部材を用いて強度を高めているように、本体部１も複数の鉱石やルアー用パーツを用いて強度を高めることから、本物品を単なる縁起用飾り物として捉えるのではなく、「小さな構造体」として捉え、これらの部材の効果的な活用や適正配置に努め、強度を高める。例えば、使用する一枚板の木材が屋久杉などの御神木であっても、桧などの国内外の銘木であっても、厚さが略２０ｍｍと薄く、板の縦や横のサイズが長くなれば、必然的に相応の強度が求められるため、使用する鉱石の大きさも重さも個数も増え、強度が偏らないようにするなどの適正配置が必要となる。従って、本体部１の一枚板の性質や状態などを適切に把握するとともに、部材の効果的な活用を検討し、木材の実態に応じて臨機応変に対応しながら強度を高める。
【００２２】
図１で示すように、本考案の本体部１は、横長の略楕円状の一枚の木材であり、その厚さを略20ｍｍ以上50ｍｍ以内として規定している。従って、縦と横の長さについても規定しなければならない。縁起用飾り物だから大きければ大きいほど良いというわけではなく、使用する鉱石のサイズや重さ、ヒートン８やリップ９のサイズや重さ、材質などについても、その効果を検討する必要があり、加えて、屋久杉の伐採は法律で禁じられ、土埋木の流通が主流になりつつあるため、縦の長さについては、入手可能な板の厚さが略20ｍｍ以上略30ｍｍ以下のサイズが多いことから、縦の長さは略70ｍｍ以上略140ｍｍ以内とし、横の長さについては、略140ｍｍ以上略280ｍｍ以内とすることが望ましい。併せて、ルアー型の縁起用飾り物Ｗのサイズが大きくなるほど、必然的にその大きさに相関して、本体部１前方左右側面の眼球とみなす鉱石と本体部１左右側面の装飾品とみなす鉱石のサイズは大きくなり、眼球とみなす鉱石と装飾品とみなす鉱石の価格は高くなる。従って、入手した屋久杉や銘木のサイズを適切なサイズに加工し，ユーザーがそのサイズに違和感を抱かないよう配慮し、製作にかかった費用に応じた適正な価格で提供する必要がある。
【００２３】
本考案は、ルアー型の縁起用飾り物Ｗが、飾った場所から落下した場合でも、容易に破損しないよう最小限の破損で留めるために、本体部１に用いる木材のヤング係数は、Ｅ＝略350ｋN/cm2以上とする。この下限値については、バルサを参考にし、軽くて柔らかい材質でも本体部１の厚さを略40ｍｍ以上に保持し、活用する部材については、本体部１の一枚板の特性を適切に把握しながら鉱石の数を増やし、強度が偏らないよう適正配置に努めることで本体部1の強度を保持する。
【００２４】
本体部１の強度を高めるためには、鉱石の硬度が重要である。そこで、図２と図３で示すように、本体部１前方左右側面から突出し、最も高い位置にある眼球とみなす鉱石２，３が衝撃を受けやすい。従って、左右の眼球とみなす鉱石２，３には、ゴルフクラブのフェイスに用いられているチタンのモース硬度略６よりも硬いモース硬度略７以上の鉱石を用いることで本体部１前方左右側面の強度を高め、併せて、ルアー型の縁起用飾り物Ｗが落下した際のリバウンドで衝撃を受けやすい本体部１左右側面に用いる複数の装飾品とみなす鉱石４，５，６，７には、10円硬貨の主成分である青銅のモース硬度略４よりも硬いモース硬度略５以上の鉱石を用いることで本体部１中央付近と本体部１後方付近の強度を高める。加えて、本考案で用いる全ての鉱石は、穴の空いていない略球体状の鉱石を部材として活用することを念頭に据えているが、これらの鉱石が入手できない場合は、例えば、略球体状の鉱石の中心を貫く略0.8ｍｍ以上２ｍｍ以下の円柱状の穴が空いている鉱石を部材として活用する。そのような鉱石については、本体部１に固着する前に、前後の穴からゼリー状の接着剤を注入し硬化させておくことで、衝撃荷重にたいする伝播のしやすさを確保するとともに鉱石の強度を保持することが望ましい。さらに、このような鉱石を本体部１に固着する場合は、前述した円柱状の穴の直径を考慮し、その穴が本体部1よりも露出しないように、その鉱石の半径よりも深めに固着することで本体部１の強度を保持することが望ましい。
【００２５】
図２で示すように、全ての鉱石は、本体部１の強度を高めるために、略球体状の略半球状の深さまで円柱状に掘削した穴に固着され、固着されない部分が本体部１から突出することになる。この鉱石の硬さには重要な意味があり、外的な衝撃による強さを数値化した「靭性」もあるが、明瞭に鉱石の硬さを確かめるには、「モース硬度」と「へき開性」の二つを見定めることが重要である。モース硬度の場合、数値が高くなるにつれて硬くなることを意味し、その一方で、へき開性はモース硬度が高くても、ある方向から衝撃を加えると割れやすい特性があることを意味する。なお、へき開性は、一般的に「完全」，「明瞭」，「不明瞭」，「なし」に分類されており、へき開性が「完全」に近いほど、その鉱物は簡単に割れることを意味する。部材として活用する鉱石については、硬度が高く、へき開性がない鉱石を、強度があり丈夫な鉱石と判断する。例えば、へき開性のない鉱石で、モース硬度が略５以上の鉱石の一部を列挙すると、モース硬度略５では、カッターナイフの刃を使ってやっと傷をつけることができる硬さとなり、オパール，モルダバイトなどがある。また、モース硬度略６では、カッターナイフの入らない硬さとなり、ガーネット，カルセドニー，パイライトなどがある。さらに、モース硬度略７では、水晶でこすると傷が付くといわれており、アベンチュリン，オニキス，サードオニキス，水晶，黒水晶，紫水晶，スモーキークォーツ，ローズクォーツ，ミルキークォーツ，ルチルクォーツ，天眼石，ジェムシリカ，ジャスパー，タイガーアイ，ブラッドストーン，ブルーカルセドニーなどがある。加えて、モース硬度略８で有名な鉱石がエメラルドで、モース硬度略９で有名な鉱石がルビー，サファイアとなる。因みに、最も硬いモース硬度略１０がダイヤモンドであるが、へき開性があるため、強度を保持するための活用には不向きである。これらの鉱石以外にも各モース硬度に該当するへき開性のない鉱石があるが、前述したようにへき開性の有無など鉱石の特性を十分に精査して選定する。
【００２６】
図１と図３で示すように、本体部１前方左右の眼球とみなす鉱石２，３は、鉱石の中で最も大きくて重いため、本体部１の前方から落下させる確率を上げるための重心位置の役割を果たす。眼球とみなす鉱石２，３は、本体部１左右側面から最も突出しており、衝撃を受けやすい場所でもあることから、モース硬度７以上でへき開性のない鉱石を固着することで本体部１前方の強度を高める。モース硬度が略７以上ともなれば、鉱石の価格が高くなる傾向にあるが、落下した状況での御神木や銘木の損傷を最低限に留めることを考慮すれば、眼球部には７以上のモース硬度が必要である。
【００２７】
図２と図３で示すように、落下した直後の衝撃でルアー型の縁起用飾り物Ｗは、リバウンドし、二度目の衝撃を受けることが予想される。その際に、本体部１左右側面に配置した複数の装飾品とみなす鉱石４，５，６,７が衝撃を受け止め吸収する重要な役割を果たすため、モース硬度を10円玉の主成分が青銅でモース硬度が略４よりも数値が高いモース硬度略５以上でへき開性のない装飾品とみなす鉱石を固着することで、本体部１中央付近や本体部１後方付近の破損を最小限に留める重要な役割を果たす。
【００２８】
ルアー型の縁起用飾り物Ｗは、解決しようとする課題で述べたように、容易なことで破損してはならないことは勿論のこと、飾った場所から落下した状況までを設計の段階から想定しておくことが重要である。従って、図１と図２で示すように、落下の損傷を最小限に留めるためには、先述したように本体部１に固着する全ての鉱石の中心点は、本体部１の縦方向の中心を通る水平仮想線１ｃ−１ｄより下にある平行かつ左右に伸ばした本体部の仮想線１ｅ−１ｆに配置し、最も重い眼球とみなす鉱石２，３を有する本体部１前方から落下する確率を高めることにある。従って、ここで特に重要なことは、本体部１前方左右側面の眼球とみなす鉱石２，３と本体部１に固着する装飾品とみなす鉱石４，５，６，７の重さのバランスである。例えば、本体部１右側面の中心から右寄りに多数の装飾品とみなす鉱石を配置すれば、重心が右側に偏ってしまい、本体部１が落下してしまった場合、本体部１は右後方から落下することになり最小限の損傷で済まない事態となる。従って、本体部１の前方部から先に落ちるためには、複数の装飾品とみなす鉱石の重さを考慮しながら、最もサイズが大きく、重く、強度のある眼球とみなす鉱石を有する前方部に重心位置があるようにしなければならない。従って、装飾品とみなす鉱石４，５を本体部１の前方寄りに配置するとともに、電子秤を用いて，予め本体部１のみならず全ての鉱石やヒートン８やリップ９の重さを計り，眼球とみなす鉱石を有する前方部から落下するよう設計する。
【００２９】
図１と図３で示すように、本体部１前方付近から落下した際に、直接衝撃を受ける確率が高い箇所は、本体部１から突出している本体部１前方左右側面の眼球とみなす鉱石２，３と本体部１の正面の最も前にねじ込まれているモース硬度が略６で金属製の、例えばステンレス製のヒートン８と本体部１の底面の前方寄りに取り付けられているショア硬度が略１５ある合成樹脂製の、例えばポリカーボネート製のリップ９である。なお、ヒートン８とは、一般的にねじの頭へ輪のように丸められた金属棒が付いた形状をしており、ねじ側を壁や天井に固定し、輪の方へ紐を通すなどして物を吊り下げることに使われるものである。また、額縁などにねじ込んで吊紐を通すにことにも使われるが，ルアーにおいても，魚の形状をしたルアーの先端にヒートン８をねじ込み、その輪の中へ釣り糸（リーダー）を通してルアーと結び付ける役割を果たすものである。ヒートン８のサイズも形状も多種多様であるが、本体部１に用いるヒートン８は、輪の外径が略９ｍｍあり、太さが略２ｍｍ、本体部１へねじ込む長さが１２ｍｍある。また、ルアー用のリップ９とは、ルアーの口元に付いたプラスチックなどでできた潜行板のことである。ルアーをリールで巻き取る速さが早いほど、このリップ９が水圧を受け、その抵抗により潜水する役目を果たす。また、このリップ９の大きさや形状（板状，台形状，舌状など）によりルアーが潜る深度などが変わるといわれている。本体部１に固着するリップ９は、プラスチックよりも強度のあるポリカーボネート製で、舌状の形状をしており、厚さは略３ｍｍで横の長さが略２９ｍｍ、縦の長さが略３５ｍｍである。このように高硬度の鉱石やルアー用パーツを意図的，計画的に配置することで、これらの部材が一旦衝撃を受け止め、その後、木材の特性である軟質性の機能によって衝撃を吸収することになる。加えて、ヒートン８とリップ９は、本体部１のサイズに相関して、これらのサイズも大きくする必要がある。
【００３０】
図２と図３で示すように、落下した直後の衝撃でルアー型の縁起用飾り物Ｗは、リバウンドし、二度目の衝撃を受ける。その場合も、ルアー用のヒートン８やリップ９、本体部前方左右側面の眼球とみなす鉱石２，３で衝撃を受け止め吸収することができる。加えて、本体部１左右側面に配置した複数の装飾品とみなす鉱石４，５，６，７が衝撃を受け止め吸収するため、本体部１中央付近や後方付近の破損を最小限に留める重要な役割を果たす。
【００３１】
本体部１前方左右側面の眼球とみなす鉱石２，３の各中心点２ａ，３ａと本体部１左右側面の装飾品とみなす鉱石４，５，６，７の各中心点４ａ，５ａ，６ａ，７ａは、本体部の縦方向の中心を通る水平仮想線１ｃ−１ｄより下にある平行かつ左右に伸ばした仮想線１ｅ−１ｆに配置する。具体的には、図１で示すように、本体部１右側面の場合、眼球とみなす鉱石２の中心点２ａ、装飾品とみなす鉱石４の中心点４ａ、装飾品とみなす鉱石６の中心点６ａをその仮想線上の２ａ−１ｆの長さの略等間隔になるように配置し、固着する。併せて、図２で示すように、左側面も同様に、仮想線３ａ−１ｆの長さの略等間隔になるように眼球とみなす鉱石３の中心点３ａ、装飾品とみなす鉱石５の中心点５ａ、装飾品とみなす鉱石７の中心点７ａを配置し固着する。この配置の工夫によって、本体部１右側面の場合、本体部１の中心から前方寄りに眼球とみなす鉱石２と装飾品とみなす鉱石４が配置され固着される。また、本体部１左側面の場合も同様に、本体部１の中心から前方寄りに眼球とみなす鉱石３と装飾品とみなす鉱石５が配置され固着される。この配置の工夫によって、本体部１の強度を安定させるだけでなく、装飾品とみなす鉱石４，５が本体部１前方寄りに配置されることによって、本体部１の重心位置は、眼球とみなす鉱石を有する本体部１の前方にくるよう確定する。
【００３２】
本考案で用いる鉱石は、先述したように強度が高く丈夫でなければならない。しかし、モース硬度が本考案の基準値を満たしているという根拠で安易に配置してはならない。例えば、モース硬度が略５である黒曜石を、本体部１左右側面の装飾品とみなす鉱石として配置し固着すると、落下などで破損したときに鋭利な破片が飛散する危険性がある。従って，鉱石を見定める際は、鉱石の特性を十分に精査し、安全性の高い鉱石を選定する。
【００３３】
本考案の本質に係る提要の第１ポイントは、本体部１に用いる全ての鉱石が高硬度で本体部の強度を高めていることは勿論のこと、先述したように本体部１の重心を下げ、鉱石の中で最も高硬度でサイズが大きく重い眼球とみなす鉱石２，３を本体部１左右側面前方寄りに固着するだけでなく、装飾品とみなす鉱石４，５も本体部１の中心から前方寄りに配置し固着することで、本体部１の前方に重心位置がくることにより、本体部１前方から落下する確率を意図的に高めるよう「一連の流れ」を想定しているところにある。つまり、落下する事態が起きても、高硬度の全ての鉱石だけでなく、モース硬度略６でへき開性のないルアー用のステンレス製ヒートン８が衝撃を受け吸収し、また本体部１底面が衝撃を受けた場合でも、樹脂、プラスチック素材の強度を表すショア硬度が略１５で、ガラスの略200倍、アクリルの略30倍の衝撃強度があり、へき開性のないルアー用のポリカーボネート製であるリップ９が衝撃を受け吸収することになるため、本体部で用いられているヒートンやリップは、ルアーを象徴する部材としてだけでなく、本体部の強度向上の役割を果たすとともに最小限の損傷で留める効果的な役割を果たす。
【００３４】
本考案の本質に係る提要の第２点ポイントは、本分野における新たな部材の特性を考慮して効果的に活かしているところである。その最も優れた効果は、本体部１の落下まで想定した部材の適正配置のみならず、力学において物体の２点間に触れるところで発生する力である外的な衝撃荷重に対して、伝搬体である高硬度の鉱石やルアー用パーツを介することで、本体部１の木材の軟質機能によるエネルギー吸収性を発揮することができ、新たな部材である高硬度の鉱石やルアー用パーツと本体部の木材それぞれの部材がきちんと元の形に戻るという動作を実現するという弾性域内での動作を実現する機能を有するところにある。
【００３５】
図１と図２で示すように、本考案の本質に係る提要の第３点ポイントは、鉱石の適正配置にある。先述したように、本体部１の縦方向の中心を通る水平仮想線１ｃ−１ｄより下にある平行かつ左右に伸ばした本体部１の仮想線１ｅ−１ｆに配置し、仮想線の距離の略等間隔になる位置に全ての鉱石を配置することで、本体部１の重心を下げている。また、本体部１左右側面の各鉱石が本体部１の正面、つまり、ヒートン８の方から見たときに，左右対称に配置されることにより本体部１の左右側面の重心バランスの安定性を高めている。このことにより、本体部１を正面から見たときの本体部１の重心の左右バランスが安定し確定するだけでなく、本体部１の左右側面の中心から前方寄りに装飾品とみなす鉱石４と装飾品とみなす鉱石５が配置され固着されるため、本体部１の重心位置が眼球とみなす鉱石２，３を有する本体部１の前方に確定することになり、そのことが落下したときの考案を確定し易くする。
【００３６】
本考案の本質に係る提要の第４点ポイントは、日常生活における身近な物を例にして説明すると、建材や家具、木製の飾り物、木製の置物、木製彫刻など、私たちが日常使用する木材は、製品となる過程で、立木の状態のままではなく、例外なく一定以上の乾燥工程を受けている。また、木材は気温や湿度の変化に伴い、含水率という木材内部の水分比率が変化するが、一定以上に乾燥された木材は、含水率の変化に応じて例外なく形状が変形する特性を持つ。これに対し、鉱石は木材とは異なり、上記要素では形状の変化はなく、加えて木材と比較して非常に硬い。従って、本考案は、横長の一枚の木材であり、その厚さを略20ｍｍ以上50ｍｍ以内とし、屋久杉等の御神木や桧などの国内外の銘木木材を本体部として用いるが、仮に、高硬度の鉱石で、木材の表面積のほとんどを覆ってしまうと、木材は自由な変形ができなくなり、比較的変形量の小さい本物品であっても、変形しようとする木材内部の組織が動くための逃げ幅を奪われてしまい、内部で木材が変形しようとすることを阻害されるため、木材が外部から圧力を受け続けている状態となり、木材の内部に発生する力である内部応力が過多となり、内部、表層部ともに割れが発生しやすい状態を招いてしまう可能性がある。つまり、先述したように木材にとって外的な衝撃荷重に対しては高硬度の鉱石やルアー用パーツを介することで、破損を防ぐための盾となる役割を果たし得るが、過度に鉱石を配置すれば、強度は低下し、内部、表層部ともに割れが発生し易くなる。加えて、本体部１として用いる木材の特性や状態を適切に把握せず、例え木材の表面積の略２割程度の鉱石を配置したとしても、杢目が不規則な模様になっており非常に反りやすい箇所や節の割合が高い箇所等に配置すれば、上述の理由で強度は低下し、割れが発生し易くなることに留意しておかなければならない。従って、鉱石は木材を過度に拘束せず、あくまでも本体部１の部材の効果的な活用を図りながら強度を高めることを目的とした適正配置をすることが肝要である。
【００３７】
本考案によって、屋久杉などの御神木や国内外の銘木の一枚板に略球体状の複数の鉱石やルアー用パーツを適正配置することによって、一枚板の強度を高めることができたことにより、今後、登山用などの縁起用飾り物や動植物などの木製の置物、木製彫刻の強度向上に鉱石を活用する可能性がある。
【００３８】
現代の若者を中心に、杢目の美しさよりも、派手やかさを重んじる傾向があり「スタイリッシュで煌びやかな縁起用飾り物が欲しい。」というユーザ―のニーズが少なくない場合、鉱石を固着するための円柱状の複数の穴やリップ９を固着する切込みが出来上がっている本体部１を３Ｄプリンターでスキャンし、３Ｄプリンター専用ソフトでデータを読み取とった上で、データの数値を変換し、本体部１を太くしたり、流線形にしたり、着色したりするなどし、様々な素材で本体部１を製作することができるが、本体部１そのものの強度を高めたり、落下した状況での強度を高めたりする必要性があれば、上述した請求項1，請求項２，請求項３に記載の内容を踏まえることで本体部１の強度を高め、落下に際しても最小限の損傷で留めることができる。
【００３９】
警察庁生活安全企画課による「平成３０年における水難の概況」（令和元年６月13日付）では、魚とり，釣りによる死者，行方不明者の行為別数が平成30年から過去５年間で１０８５人であり、水難事故の未然防止に向けた具体的な取り組みが国の課題となっている。また、「海上保安統計年報救難統計」では、海釣りに限定して統計をとっており、過去５年間で死者，行方不明者数が486人となっている。警察庁の統計と海上保安庁の統計に差異があるのは、海上保安庁の統計が海上に限定されているのに対して、警察庁の統計は、沼や湖，河川等での死者，行方者数が含まれているため、人数が多くなっている。このような水難事故による死亡事故の実態に対して、本考案による物品の存在を社会の人々に知ってもらい提供することで釣行に関して何よりも大切なものは人命であり、そのために釣行に対する安全第一の重要性を認識してもらうことで、一人でも多くの尊い命を救う一助になることが期待できる。従って、本考案の釣行にまつわるルアー型の縁起用飾り物Ｗを世に送り出す社会的意義は少なからずあるものと考える。
【実施例】
【００４０】
以下、本考案の一実施形態によるルアー型の縁起用飾り物Ｗについて、図面を示しながら説明する。なお、添付図面に杢目を描いてしまうと図面に関する線や数字、文字及び引き出し線等が不明瞭になってしまうため省略する。また、図３は、完成品がイメージし易いように本体部１にデザインを追加する。
【００４１】
まず、主に図１を示し、内容によっては図２も示しながら本考案の一実施例を説明する。図１で示すように本体部１は、縦を略74ｍｍ，横を略140ｍｍ，
厚さを略29ｍｍとする横長の略楕円状の一枚の木材で、屋久杉等の御神木や桧などの国内外の銘木木材からなる実際の大きさと等しい図面である。図２で示すように本体部１前方左右側面に眼球とみなす鉱石を有し、眼球部にはモース硬度略７以上でへき開性のない略球体状の眼球とみなす鉱石２，３を略半球状に固着する。
【００４２】
図２で示すように眼球とみなす鉱石以外に、本体部１右側面にはモース硬度略５以上でへき開性のない複数の装飾品とみなす鉱石４，６を略半球状に固着し、本体部１左側面も同様に、モース硬度略５以上でへき開性のない装飾品とみなす鉱石５，７を略半球状に固着する。ここで注視したい点は、鉱石の配置である。例えば、図1で示すように、眼球とみなす鉱石２と装飾品とみなす鉱石４は、本体部１の縦方向の中心を通る仮想線１ａ−１ｂより本体部１の左側寄りにある。つまり、本体部１前方寄りに配置し固着しており、このことは、左側面でも同様であり、眼球とみなす鉱石３と装飾品とみなす鉱石５も本体部１前方寄りに配置し、固着する。
【００４３】
図１で示すように，本体部１最前方にモース硬度が略６でへき開性のないルアー用のステンレス製ヒートン８と本体部１底面にショア硬度が略１５でへき開性のないルアー用のポリカーボネート製のリップ９を有する。なお、リップ９の幅の長さは本体部１の厚さと同じであるため、図２では目視できない。
【００４４】
図1で示すように、本体部１は、横長の一枚の木材であるが、本体部の縦方向の中心を通る仮想線１ａ−１ｂの中心から垂直に左右横方向に伸ばした線分１ｃ−１ｄが本体部１の高さを二等分する水平仮想線であり、本体部１に固着する眼球とみなす鉱石２，３と全ての装飾品とみなす鉱石４，５，６，７の中心点は、水平仮想線１ｃ−１ｄより下に平行に位置する仮想破線１ｅ−１ｆ上に配置する。また、図２に示すように、左側面の鉱石３，５，７も右側面の配置と同様である。なお、この仮想線が破線になっているのは、図２で断面図を描く必要性のためである。
【００４５】
図１で示すように、右側面図の鉱石の配置を再度注視すると、平行破線である１ｅ−１ｆ上に、鉱石２の中心点２ａ、鉱石４の中心点４ａ、鉱石６の中心点６ａを配置している。右側面の場合、全ての鉱石の中心点は、鉱石２の中心点２ａから右方向に伸びる仮想線２ａ−１ｆの略等間隔（右側面では、Ｌ１≒Ｌ２≒Ｌ３）になるよう配置し固着する。併せて、図２で示すように、左側面の配置を注視すると、右側面の配置と同様に、Ｌ４≒Ｌ５≒Ｌ６になるよう配置し固着する。
【００４６】
次に、図２で示すように、本図面は図1で示した仮想線である１ｅ−１ｆの断面図である。全ての鉱石は、円柱状に掘削された底面上の２ｃ，３ｃ，４ｃ，５ｃ，６ｃ，７ｃの位置で略半球状の状態でエポキシ樹脂によって固着する。従って、２ｂ，２ｄ，３ｂ，３ｄ，４ｂ，４ｄ，５ｂ，５ｄ，６ｂ，６ｄ，７ｂ，７ｄは硬化したエポキシ樹脂である。なお、ヒートン８は木材への挿入状態である。加えて、本体部１左右側面の各鉱石は、本体部1の正面から見た場合、略左右対称に固着する。
【００４７】
最後に、図３で示すように本図面は、完成したルアー型の縁起用飾り物Ｗの斜視図である。完成品がイメージし易いようにデザインを加えており、台座を設けている。
【符号の説明】
【００４８】
１  本体部
２  右眼球とみなす鉱石
３  左眼球とみなす鉱石
４  右側面装飾品とみなす鉱石
５  左側面装飾品とみなす鉱石
６  右側面装飾品とみなす鉱石
７  左側面装飾品とみなす鉱石
８  ステンレス製ヒートン
９  ポリカーボネート製リップ
10  台座